(57)【要約】  本発明は、核果の間引きのためのジベレリン７（ＧＡ７）の使用に関し、ここで該使用は、一年目満開後１２週以内に葉面散布によりＧＡ７を核果に散布して、次の年の間引きを達成することを含む。核果はモモ、ネクタリン、アプリコット、サクランボ、ミラベルプラムまたはプラム、好ましくはモモまたはネクタリンであることができる。ＧＡ７は、一年目満開後４〜１２週の期間内に使用または散布される。ＧＡ７は、ＧＡ４との混合剤として使用される場合、ＧＡ７が７０％以上でＧＡ４が３０％以下のＧＡ７対ＧＡ４の相対量を有する。【特許請求の範囲】
【請求項１】
満開後１２週以内に葉面散布としてジベレリン７（ＧＡ７）を散布することによる核果の間引きのためのＧＡ７の使用であって、ここでＧＡ７がＧＡ４との混合剤として使用される場合、ＧＡ７対ＧＡ４の相対量は、ＧＡ７が７０％以上且つＧＡ４が３０％以下である、使用。
【請求項２】
一年目にＧＡ７を核果に散布して、次の年の間引きを達成することを含む、請求項１に記載の使用。
【請求項３】
一年目に満開後１２週以内に葉面散布により適切な量のＧＡ７を、核果を結実する樹木に散布して翌年の低減した開花を達成することによって核果を間引きする方法であって、ここでＧＡ７がＧＡ４との混合剤として使用される場合、ＧＡ７対ＧＡ４の相対量は、ＧＡ７が７０％以上且つＧＡ４が３０％以下である、方法。
【請求項４】
核果がモモ、ネクタリン、アプリコット、サクランボ、ミラベルプラムまたはプラムである、請求項１〜３のいずれか１項に記載の使用または方法。
【請求項５】
核果がモモまたはネクタリンである、請求項４に記載の使用または方法。
【請求項６】
ＧＡ７が、一年目に満開後４〜１２週の期間内に使用または散布される、請求項２〜５のいずれか１項に記載の使用または方法。
【請求項７】
ＧＡ７が、満開後６〜１２週の期間内に使用または散布される、請求項２〜６のいずれか１項に記載の使用または方法。
【請求項８】
ＧＡ７が、満開後１０週までの期間内に使用または散布される、請求項２〜７のいずれか１項に記載の使用または方法。
【請求項９】
ＧＡ７が、純粋な化合物として計算して０．５〜４重量％のＧＡ７を含む製剤として使用される、請求項１〜８のいずれか１項に記載の使用または方法。
【請求項１０】
ＧＡ７が、１００Ｌの噴霧用流体に付き０．１Ｌ〜３Ｌの製剤の量の液体製剤として散布される、請求項９に記載の使用または方法。
【請求項１１】
ＧＡ７が、１００Ｌの噴霧用流体に付き０．３Ｌ〜２Ｌの製剤の量の液体製剤として散布される、請求項１０に記載の使用または方法。
【請求項１２】
ＧＡ７が、１ヘクタール当たり０．５〜１０リットルの間の量の液体製剤として散布される、請求項１〜１１のいずれか１項に記載の使用または方法。
【請求項１３】
ＧＡ７が、ＧＡ７として計算して１０〜１００ｇ／ｈａの量で散布される、請求項１〜１２のいずれか１項に記載の使用または方法。
【請求項１４】
ＧＡ７が、ＧＡ７に対して１０重量％未満、好ましくは５重量％未満のＧＡ４を含有する、請求項１〜１３のいずれか１項に記載の使用または方法。
【請求項１５】
請求項３〜１４のいずれか１項に記載の間引き方法を使用し、および翌年果実を収穫する、核果を生育させる方法。
【発明の詳細な説明】
【技術分野】
【０００１】
本発明は、核果の間引きのための化学薬剤の使用に関する。さらに、本発明は、樹木において核果を間引きする方法に関する。
【背景技術】
【０００２】
アプリコット、ネクタリン、プラム、サクランボおよびモモのような核果類は果樹園で育てられる。平均の生育条件下で、授粉（自家または異花）は非常に効率的であり、多くの果実が得られる。しかし、樹木の果実を担持する能力は限られており、それ故に果実の数の増大は果実の大きさの低下を伴う。小さい果実は新鮮な果実市場で低品質果実とされ、極めて低価格で業界に向けられるので、果実栽培者の間では枝の折損を防ぎ、大きい高品質の果実を得るために化学的、機械的および／または手作業による間引きにより樹木当たりの果実の数を減らすのが一般的な慣習である。また、豊富な結実は、隔年の結実を起こし得、このこと自体が不利である。
【０００３】
果実負荷量（ｌｏａｄ）の制御の必要性が核果では広く認識されている。化学的な果実の間引きに関する研究は今までのところ成果が限られている。従って、栽培者には極めて少ない選択肢しかない：（ｉ）たくさんの人力を必要とし、極めて高価な費用がかかる手作業による花の間引き（摘花）、（ｉｉ）通例満開の４〜６週後に行われ、たくさんの人力を必要とし、従って非常に高価な費用がかかる手作業による果実の間引き（摘果）、（ｉｉｉ）開花期中に行われる機械的な花の間引き（摘花）であるが；これには幾つかの不都合がある：間引き強度の評価の困難さ、樹木の損傷の危険性、除去された花の良好でない分布（ｒｅｐａｒｔｉｔｉｏｎ）、この結果果実の色付きが悪くなるか、または光を樹冠（ｃａｎｏｐｙ）内部に入れるための追加の手作業による葉の除去が必要になる。従って、栽培者の実務慣行は当面次のように要約することができる：（ｉ）幾つかの品種については、花の一部を除き、その後の手作業の間引きを限定するために、機械的な摘花を行う。作物／品種に応じて、これは５０〜１５０ｈ／ｈａであることができる（ｈ／ｈａ＝ｈａ当たりの手作業の間引きの時間）。これは主として、Ｃａｒｅｎｅ、Ｇａｒｄｅｔａ、Ｇａｒｃｉｃａ、Ｉｖｏｒｙ  Ｓｔａｒ、Ｌｏｒｉｎｄａ、Ｅａｒｌｙ  Ｔｏｐ、およびＶａｌｌｅｙ  Ｓｗｅｅｔのような極めて稔性のモモ／ネクタリン品種に対して行われる。また若い樹木（第３葉期）に対しても使用される。（ｉｉ）全ての品種に対して、結実期の初期段階に手作業により摘果を行う。これは、品種により５０〜２５０ｈ／ｈａと見積もられる。従って、全体として、花＋果実の間引きのための仕事量は一般に、平均で２００〜２５０ｈ／ｈａの間と見積もられるが４００ｈ／ｈａまで達し得る。人件費が高いため、安定な結果が得られることを条件として、化学的な間引き作業が求められている。
【０００４】
多くの化学化合物が核果を間引くのに適切であるとして提案されている。提案された化学的間引き（摘花）剤の例は、例えば次の特許文献に記載されている：
−米国特許第２９５７７６０号明細書、アルファ−（３−クロロフェノキシ）−プロピオン酸およびその塩；
−英国特許第１５０９１９５号明細書、オーキシン、ジベレリン３、および尿素−誘導体の組合せ；
−欧州特許出願公開第０８９２０５号明細書、２−ピロリドン−５−カルボン酸、Ｎ−混合脂肪アシル化されたＬ−グルタミン酸ナトリウム塩または脂肪アシル化された糖分子；
−欧州特許出願公開第４６３２４１号明細書、ある種のアルコキシル化されたアミン類；
−米国特許第５６２２９１５号明細書、３，５，６−トリクロロ−２−ピリジルオキシ酢酸またはその塩；
−米国特許出願公開第２０１２／０８８６６８号明細書、場合によりオーキシンと組み合わせたアントラニル酸および／またはアセトフェノン。
【０００５】
実際上は、非常に小数の製品のみが核果に利用可能であるに過ぎない。これらの製品の１つは（ｉ）ＧＡ３に基づく製品である。スペインでは３．６％のＧＡ３製剤が使用される：０．１８〜０．２５％で認可された割合のＫｅｎｏｇａｒｄのＲａｌｅｘおよびＣｅｑｕｉｓａのＬａｉｋｕａｊ。認可された用途は、モモで果実の大きさを改良し開花を減らすことである。登録通知書に記されている処理の時期は収穫の４週および２週前である。Ｒａｌｅｘはオーストラリアでも核果での使用が認可されている（アプリコット、ネクタリンおよびモモ、１２月早期〜１月後期に散布される４０ｇ／ＬのＧＡ３製剤で７０〜４００ｍｌ／１００Ｌ）。（ｉｉ）ＧＡ３に基づく製品（ＢｅｒｅｌｅｘおよびＧｉｂｂ  ３）はフランスでモモの結果実レベルを修正するために認可されている。用量は、花成誘導期に散布されるＢｅｒｅｌｅｘで４〜６錠剤／１００Ｌ（４〜６ｇ／Ｌ）である。（ｉｉｉ）ＮＡＡ（ナフタレン酢酸、合成オーキシン）はイタリアで使用され（Ｆｉｘｏｒｍｏｎ：８５ｇ／Ｌ  ＮＡＡ）、モモの間引きに対して散布時期を小果実が直径１０〜１５ｍｍのときとして１２〜２０ｍＬ／１００Ｌで認可されている。
【０００６】
全ての提案された化学的処理のうちで、ＧＡ３（ジベレリン酸）による処理のみが比較的一般的である。ＧＡ３は錠剤としても入手可能である（Ｆａｌｇｒｏ）。参考文献は、例えば：Ｓｏｕｔｈｗｉｃｋ  ｅｔ  ａｌ．  Ｊ．  Ａｍｅｒ．  Ｓｏｃ．  Ｈｏｒｔ．  Ｓｃｉ．  １２０（６）  （１９９５）  １０８７−１０９５；  Ｓｏｕｔｈｗｉｃｋ  ＆  Ｇｌｏｚｅｒ、Ｈｏｒｔｅｃｈｎｏｌｏｇｙ，  １０（４）  （２０００）；およびＧｏｎｚａｌｅｚ−Ｒｏｓｓｉａ  ｅｔ  ａｌ．  Ｓｃｉｅｎｔｉａ  Ｈｏｒｔｉｃｕｌｔｕｒｅ  １１１  （２００７）  ３５２−３５７である。
【０００７】
Ｓｏｕｔｈｗｉｃｋも、ｔｈｅ  ２６ｔｈ  Ｐｒｏｃｅｅｄｉｎｇｓ  ＰＧＲ  ｓｏｃｉｅｔｙ  ｏｆ  Ａｍｅｒｉｃａ，  （１９９９），  ｐｐ  ５０−５５で、幾つかの核果栽培品種に対するＲａｌｅｘ（ＧＡ３）の使用を報告している。偶然だが、この学術論文は、５月または６月にアプリコット品種に散布したときのＧＡ３の効果をＧＡ４およびＧＡ７と比較した１つの表を含んでいる。ＧＡ４またはＧＡ７の起源と純度は不明である。さらに、この学術論文は、ＧＡ４がＧＡ３またはＧＡ７より有効であると説明している。ＧＡ７は６つの実験のうちの１つのみで開花に対する顕著でない低下効果を示し、６つのうちの４つの実験では開花を増大するという逆の効果を示している（有意対未処理）。
【０００８】
ＯｌｉｖｅｉｒａおよびＢｒｏｗｎｉｎｇは、Ｐｌａｎｔ  Ｇｒｏｗｔｈ  Ｒｅｇｕｌａｔｉｏｎ  （１９９３）  １３：５３−６３で、幾つかのジベレリンの花芽形成に対する効果について報告している。これらのＧＡは１０μｌの６０％水性エタノール溶液として個々の結実性の若枝（ｓｐｕｒ）の６〜８の連続した末端領域で芽挿入（ｂｕｄ  ｉｎｓｅｒｔｉｏｎ）点間に、すなわち芽の間の新芽に散布される。
【０００９】
Ａｃｔａ  Ｈｏｒｔｉｃｕｌｔｕｒｅａ  （２０００）は、ｔｈｅ  Ｐｒｏｃ．  Ｏｆ  ｔｈｅ  Ｉｎｔ  Ｃｏｎｆ  ｏｎ  ｉｎｔｅｇｒａｔｅｄ  ｆｒｕｉｔ  Ｐｒｏｄｕｃｔｉｏｎ  （１９９８），  ５２５：４６７−４６９，  ＸＰ−００２７２０８２２、ａｎｄ  ５２５：４６３−４６６，  ＸＰ−００２７２０８２３を含んでおり、そこではＳｉｎｇｈらが、一般に約５０／５０のＧＡ４−ＧＡ７混合物に対する実験について記載している。処理された作物Ｐｈａｌｓａを充分に膨らんだ花芽の段階で噴霧したところ、いずれの処理もこの作物で戻り開花（ｒｅｔｕｒｎ  ｂｌｏｏｍ）を抑制しなかった。
【００１０】
これらおよびその他の実験にも関わらず、適切な選択肢は今日まで知られていない。
【００１１】
それ故、さらに改良された核果の間引き（摘花）剤が明白に必要とされている。
【先行技術文献】
【特許文献】
【００１２】
【特許文献１】米国特許第２９５７７６０号明細書
【特許文献２】英国特許第１５０９１９５号明細書
【特許文献３】欧州特許出願公開第０８９２０５号明細書
【特許文献４】欧州特許出願公開第４６３２４１号明細書
【特許文献５】米国特許第５６２２９１５号明細書
【特許文献６】米国特許出願公開第２０１２／０８８６６８号明細書
【非特許文献】
【００１３】
【非特許文献１】Ｓｏｕｔｈｗｉｃｋ  ｅｔ  ａｌ．  Ｊ．  Ａｍｅｒ．  Ｓｏｃ．  Ｈｏｒｔ．  Ｓｃｉ．  １２０（６）  （１９９５）  １０８７−１０９５
【非特許文献２】Ｓｏｕｔｈｗｉｃｋ  ＆  Ｇｌｏｚｅｒ，  Ｈｏｒｔｅｃｈｎｏｌｏｇｙ，  １０（４）  （２０００）
【非特許文献３】Ｇｏｎｚａｌｅｚ−Ｒｏｓｓｉａ  ｅｔ  ａｌ．  Ｓｃｉｅｎｔｉａ  Ｈｏｒｔｉｃｕｌｔｕｒｅ  １１１  （２００７）  ３５２−３５７
【非特許文献４】Ｓｏｕｔｈｗｉｃｋ，  ｔｈｅ  ２６ｔｈ  Ｐｒｏｃｅｅｄｉｎｇｓ  ＰＧＲ  ｓｏｃｉｅｔｙ  ｏｆ  Ａｍｅｒｉｃａ，  （１９９９），  ｐｐ  ５０−５５
【非特許文献５】Ｏｌｉｖｅｉｒａ  ａｎｄ  Ｂｒｏｗｎｉｎｇ，  Ｐｌａｎｔ  Ｇｒｏｗｔｈ  Ｒｅｇｕｌａｔｉｏｎ  （１９９３）  １３：５３−６３
【非特許文献６】Ｐｒｏｃ．  Ｏｆ  ｔｈｅ  Ｉｎｔ  Ｃｏｎｆ  ｏｎ  ｉｎｔｅｇｒａｔｅｄ  ｆｒｕｉｔ  Ｐｒｏｄｕｃｔｉｏｎ  （１９９８），  ５２５：４６７−４６９，  ＸＰ−００２７２０８２２
【非特許文献７】Ｐｒｏｃ．  Ｏｆ  ｔｈｅ  Ｉｎｔ  Ｃｏｎｆ  ｏｎ  ｉｎｔｅｇｒａｔｅｄ  ｆｒｕｉｔ  Ｐｒｏｄｕｃｔｉｏｎ  （１９９８），  ５２５：４６３−４６６，  ＸＰ−００２７２０８２３
【発明の概要】
【発明が解決しようとする課題】
【００１４】
本発明の目的は、核果種で少なくとも同程度であるが、好ましくはより良好な間引き結果を可能にする核果の化学的間引き処理を提供することである。
【課題を解決するための手段】
【００１５】
本発明は、満開後１２週以内に葉面散布としてジベレリン７（ＧＡ７）を散布することによって核果の間引きをするためのＧＡ７の使用を提供し、ＧＡ７がＧＡ４との混合剤として使用される場合、ＧＡ７対ＧＡ４の相対量は、ＧＡ７が７０％以上且つＧＡ４が３０％以下である。
【００１６】
本発明はさらに、一年目に満開後１２週以内に、好ましくは満開後４〜１２週の期間内に、適切な量のＧＡ７を、葉面散布として樹木に散布して、翌年の低減した開花を達成することにより、核果を間引きする方法が提供され、ＧＡ７はＧＡ４との混合剤として使用される場合、ＧＡ７対ＧＡ４の相対量は、ＧＡ７が７０％以上且つＧＡ４が３０％以下である。
【００１７】
好ましくは、ＧＡ７は、０．５〜４重量％のＧＡ７を含む製剤として使用する。製剤は好ましくは液体である。かかる液体製剤は、１００Ｌの噴霧用流体当たり０．１Ｌ〜３Ｌの量、より好ましくは０．３〜１．５Ｌ／１００Ｌで散布し得る。
【００１８】
好ましくは、ヘクタール当たりのＧＡ７の量は０．５〜１０リットルの間の液体製剤である。
【００１９】
好ましくは、１ヘクタール当たり散布されるＧＡ７の量は０．２〜１００ｇ／ｈａの間である。
【００２０】
適切な核果には、モモ、アプリコット、ネクタリン、プラム、サクランボおよびミラベルプラムがあり、好ましい種はモモおよびネクタリンである。
【００２１】
試験は、ＧＡ７の適切な散布（単回または複数回の処理であり得る）により約３０％の低下（１０〜４０％の間）が達成可能であり、手作業の間引きにおける低下も約３０％であることを示している。さらなる試験では、さらにより高い間引き効率も示された。得られた果実は完全に手作業で間引きした果実と同一の品質であった。
【００２２】
従って、本発明はまた、本発明による間引き方法を使用し、および翌年果実を収穫する、核果を生育する方法も提供する。
【発明を実施するための形態】
【００２３】
本発明は、満開後１２週以内に葉面散布としてジベレリン７（ＧＡ７）を散布することによる核果の間引きのためのＧＡ７の使用を提供し、ＧＡ７がＧＡ４との混合剤として使用される場合、ＧＡ７対ＧＡ４の相対量は、ＧＡ７が７０％以上且つＧＡ４が３０％以下である。
【００２４】
適切な核果にはモモ、アプリコット、ネクタリン、プラム、サクランボまたはミラベルプラムがあり、モモおよびネクタリンは最大の間引き問題を示すので好ましい種はモモおよびネクタリンである。
【００２５】
ジベレリンは、ジテルペノイド酸である植物成長調節物質の一群である。ジベレリンは天然の菌類であるイネ馬鹿苗病菌（Ｇｉｂｂｅｒｅｌｌａ  ｆｕｇｉｋｕｒｏｉ）の発酵により工業的に生産される。ジベレリンは様々な商品名で販売されており、各種の果実果樹園、野菜、条植え作物（ｒｏｗ  ｃｒｏｐ）、および装飾用作物に商業的に使用されている。主に使用されるジベレリン酸はＧＡ３である。現在、１２０を越えるジベレリンが知られている。他に使用される１つのジベレリンは２種の組合せ（ＧＡ４＋７）である。二重結合および環状ラクトンを含有するジベレリンのジテルペノイド構造のため、これらは水中での安定性が低めである。
【００２６】
長い間人々は、植物の開花はたくさんの外部信号および内部要因の制御下にある一連の形態学的および生理学的段階を含む複雑な発達過程であると考えてきた。植物の開花を制御する全ての要因の中で、光周期および植物ホルモンが極めて詳細に研究されて来ている。花器の同一性および発達を遺伝的に制御する遺伝子が同定された。これらの遺伝子の発現は光周期およびホルモンによって調節されていることが判明している。このように、開花は、多くの調節剤が関与する極めて複雑な生物学的機構である。おそらくこれが、実際上極めて少ない化学的間引き剤だけしか適していない理由である。
【００２７】
予想外のことに、ＧＡ７は、満開後１２週以内に噴霧により果樹に散布すると、核果で信頼できる間引き結果を生じる。
【００２８】
ＧＡ７はＧＡ４との混合剤として使用してもよいが、ＧＡ７対ＧＡ４の相対量はＧＡ７が７０％以上且つＧＡ４が３０以下である。好ましくは、ＧＡ７は、ＧＡ７に対して１０重量％未満、より好ましくは５重量％未満のＧＡ４を含有する。別段の断りがない限り、ＧＡ７は１００／０から７０／３０までの全てのグレードのＧＡ７／ＧＡ４を含むが、以下ＧＡ７に対して述べる量はＧＡ７のみに関し、存在し得るＧＡ４の量は含まない。例えば前に述べたＳｉｎｇの文献に記載されているような等しい量のＧＡ７およびＧＡ４を含むＧＡ７／ＧＡ４混合物は、信頼できる果実の間引き結果を与えないようである。何年かは、幾らかの間引きが観察されるが、この効果は一貫して達成されることはない。従って、ＧＡ７は比較的純粋な化合物としてのみ（すなわち低量のＧＡ４が存在する）間引きに確実に使用することができる。
【００２９】
本発明はさらに、一年目の樹木に満開後１２週以内に葉面散布として適切な量のＧＡ７を散布することにより、翌年低下した開花を達成する、核果の間引きをする方法を提供する。
【００３０】
ＧＡ７は果実の樹木に噴霧することにより散布され、噴霧は主に葉に対して行う。樹木への噴霧は一般に「葉面散布」といわれている。
【００３１】
ＧＡ７は１年に一回または複数回散布することができる。ＧＡ７を一回より多く散布する場合、散布の間の期間は例えば２週間離す、３週間離すなどのように、例えば１〜８週、好ましくは１〜４週間離すことができる。
【００３２】
ＧＡ７は好ましくは満開後４〜１２週、好ましくは６〜１２、最も好ましくは８〜１２週の期間内に散布される。満開は当業界で一般的な用語であり、少なくとも５０％の花が開き、最初の花弁が落ちる日と定義される。ＧＡ７を一回より多く散布する場合、少なくとも最初の散布は満開後１２週以内に行う。好ましくは全ての噴霧を満開後１２週の期間の前に行うが、その年内のそれより遅い噴霧は有害ではないが有効性は低い。
【００３３】
好ましくは、ＧＡ７は満開後１０週以内の期間に散布する。
【００３４】
製剤
ＧＡ７は粉末製剤、錠剤または液体などの様々な方法で製剤化することができる。
【００３５】
適切な粉末製剤は、水と混合したとき水に容易に溶解して溶液を形成するものである。一旦溶液が形成されたら、タンクミックスのさらなる混合または撹拌は必要とされない。かかる水和製剤は乾燥した微細に粉砕した製剤である。この製剤において、活性成分は、粉末の水に懸濁する能力を高めるその他の成分と共に、微細に粉砕した乾燥担体、通常は鉱物粘土と混合されている。水和剤を水と混合すると懸濁液が形成され、その後この懸濁液を噴霧技術により散布する。
【００３６】
錠剤は発泡性であり得、錠剤の種類および大きさに応じて２〜１０分の期間で水に溶解する。錠剤は一般に、１錠剤当たり０．２〜２グラムの間の活性成分を送達する。
【００３７】
水溶性または水分散性の顆粒も適切である。この種の製剤で活性成分は１００〜３００ミクロンの大きさの顆粒状粒子として製剤化される。噴霧散布用の水に可溶性または分散性の顆粒を製造するためには、撹拌の際に水に完全に可溶性または分散性である。多くの異なる水溶性または水分散性の顆粒製剤が農薬として公知である。例えば、欧州特許出願公開第２５２８９７号明細書および米国特許第４，９３６，９０１号明細書は水分散性の顆粒状製剤内にカプセル化された植物成長調節物質を開示し、米国特許第６，３８７，３８８号明細書および米国特許出願公開第２００２／０１１４８２１号明細書は押し出された水溶性の殺虫剤を開示し、米国特許第５，６２２，６５８号明細書は水分散性の顆粒を製造するための押出可能な組成物を開示する。
【００３８】
アジュバントのような他の成分を製剤に加えてもよい。アジュバントは拡散および効能を促進することができ、組成物の接着特性を改良することができ、一般に油、消泡剤および界面活性剤を包含する。本発明に有用なかかる成分には、限定されることはないが：テルペン、ポリオキシエチレン脂肪アルコールエーテル；ポリオキシエチレンソルビタンエステル；Ｓｉｌｗｅｔ製品（オルガノ−シリコーン）；オクチルフェノールエトキシレート；エトキシル化線状アルコールポリオキシエチレン脂肪酸エステル；ソルビタンエステル；変性フタリック／グリセロールアルキル樹脂がある。
【００３９】
毛で覆われたかまたはワックス状の表面のため湿潤させるのが困難であり得る植物に最終溶液を散布しようとする場合、界面活性剤、湿潤剤、展着剤および粘着剤のような農薬産業で一般に公知のかかる他の添加剤を含ませるのが特に有利であることがある。湿潤剤の例には、シリコーン界面活性剤、アルキルエトキシレートのような非イオン性界面活性剤、ホスフェートのような陰イオン性界面活性剤、ならびに脂肪酸アミドアルキルベタインのような両性または陽イオン性界面活性剤がある。
【００４０】
本発明の化合物または組成物は組成物の唯一の活性成分であってもよいし、または適宜抗線虫剤、殺虫剤、相乗剤、殺菌剤、肥料または植物生長調節剤のような１種以上の追加の活性成分と混和してもよい。適切な成長調節物質にはプロヘキサジオンカルシウム、クロロメクワット、エテホン、メトコナゾールおよびテブコナゾールなどのような成長調節活性をもつトリアゾールがある。
【００４１】
本発明の化合物または組成物はベンジルアデニン、１−ナフチル酢酸、カルバリル、（２−クロロフェノキシ）プロピオン酸、エテホン、ナフタレンアセトアミド、チジアズロン、チオ硫酸アンモニウム、ＤＮＯＣ、ｅｎｄｏｔｈａｌｌｉｃ  ａｃｉｄ、エテホン、ジベレリン酸（ＧＡ３）、石灰硫黄合剤、ｓｕｌｆｃａｒｂａｍｉｄｅ、ペラルゴン酸、６−ベンジルアミノプリン、Ｎ−（２−クロロ−４−ピリジル）−Ｎ−フェニル尿素、およびチジアズロンのような他の化学的間引き剤と組み合わせて使用することもできる。
【００４２】
本発明のＧＡ７化合物を場合によって１種以上の活性剤と組み合わせて投与するならば、ＧＡ７は互いにまたは１種以上の活性剤と共に連続的に、同時にまたは逐次投与し得る。これらの化合物を組み合わせることの主要な利点は、例えば生化学的相互作用によって相加または可能な相乗効果を促進し得ることである。有益な組合せは、試験化合物の活性を研究することによって示唆され得る。この手順はまた、薬剤の投与の順序、すなわち送達の前、同時または後を決定するために使用することもできる。
【００４３】
好ましくは、ＧＡ７は、例えば１重量％のＧＡ７のような、０．５〜４重量％の液体製剤として散布する。かかる液体製剤は好ましくは、１００Ｌの噴霧液体当たり０．１Ｌ〜３Ｌの量、より好ましくは０．３〜２Ｌ／１００Ｌで使用される。
【００４４】
液体製剤は供給業者により調製することもできるし、または使用直前に作成することもできる。例えば、１００グラムの良好な分散性の粉末状製剤を１０Ｌの水に溶解させることができ、この液体は噴霧タンク内で水と容易に混合させることができる。
【００４５】
ＧＡ７はグリコール溶媒、例えばプロピレングリコールに０．１〜１０重量％の間、好ましくは０．５〜５重量％の間、最も好ましくは１〜２重量％の間のレベルで溶解させることにより製剤化することができる。溶媒は溶媒の混合物を含むことができ、クエン酸またはアジピン酸のような酸、酸化防止剤、（硫酸アンモニウムのような）無機塩、界面活性剤、および／またはアジュバントを含むことができよう。
【００４６】
また、ＧＡ７を可溶性の粉末または顆粒として製剤化することも可能である。
【００４７】
ＧＡ７は、例えば菌株、例えばＦｕｓａｒｉｕｍ  ｍｏｎｉｌｉｆｏｒｍｉｓを用いる発酵生産によって、および／または溶媒を用いる優先的な結晶化によるＧＡ４＋７からＧＡ７の分離によって、得ることができる。
【００４８】
好ましくは、１ヘクタール当たりの水容量は３００〜２０００Ｌ／ｈａの間であり、１ヘクタール当たりのＧＡ７の量は約０．５〜１０リットルの間の前記液体製剤である。
【００４９】
好ましくは、１ヘクタール当たり散布されるＧＡ７の量は０．２〜１００ｇ／ｈａの間、好ましくは１０〜１００ｇ／ｈａの間である。
【００５０】
試験が示すところでは、ＧＡ７の適切な散布で、結果実の少なくとも３０％の低下（１０〜７０％の間）が達成可能であり、手作業の間引きによる低下は少なくとも約３０％である。
【実施例】
【００５１】
この研究はＧＡ７、または７５：２５の比のＧＡ７：ＧＡ４を用いて行った（液体製剤中１０ｇ／Ｌの総活性ＧＡ７成分）。
【００５２】
実施例１
最初の試験は、モモの１０ｍｍの小果実に７５０ｍｌ／ｈｌで散布したＧＡ７を用いてピエモンテで評価試験として行った。翌年、（特に若い側枝で）より良好な発芽が得られ、開花は高度に制御されていた。
【００５３】
実施例２〜３および比較実験Ａ
試験はＧＡ７を用いてイタリアとスペインで行った。その後の年の開花を減らすために満開の約３ヶ月後樹木をＧＡ７で処理した。
【００５４】
実施例２：２０１０年〜２０１１年試験結果
スペインで、モモおよびネクタリンに対してＧＡ７（ＧＡ４に対して＞９５％純粋）を用いて試験を行った。最初の評価は２０１０年の収穫時に行った。これらの評価では収量および果実の品質に対して処理の影響は見られなかった。主な評価は２０１１年（すなわち翌年）の春に行った：ｃｍ当たりの芽の数の減少はカタロニア地方で行った試験で３５％程度であった。Ｍａｓｓｏでの試験でも、品種および用量に応じて４１〜７８％の明らかな減少が見られた。一方、果実の大きさは増大した。手作業による間引きに必要な時間をカタロニアで行った試験で記録した。ＧＡ７による処理で手作業による間引き時間の約３０％の減少が可能になった。
【００５５】
イタリアで、同様な試験を行った。モモおよびネクタリンに対して、枝１メートル当たりの果実の数の減少は、満開の約３ヶ月後に１Ｌ／１００Ｌ散布したＧＡ７（ＧＡ４に対して９５％純粋）で、Ｌａｕｒａでの１．５％からＳｉｎｐｈｏｎｙでの３２．９％までの範囲であった。
【００５６】
残っている芽と花の位置を検討したが問題は見られなかった。
【００５７】
実施例３：２０１１年〜２０１２年試験結果
２０１１年、新たな試験を開始した：モモとネクタリンでの４つの試験。
【００５８】
ネクタリンでの１つの試験の結果は、枝の末端部分および基部部分に対する０．５と１Ｌ／１００Ｌとの間のレート効果での処理により戻り開花が低減することを示した。
【００５９】
【表１】
2017503807.tif 000002
【００６０】
他の３つの試験は明らかに、処理したプロットで未処理と比較して枝当たりの花の数の減少を示した（試験および割合に応じて−１７から−５０％）。
【００６１】
比較例Ａ：２０１２年〜２０１３年試験
イタリアで、２０１１年の試験と同じ樹木に対して、ネクタリンに１つの試験を行った。ＧＡ７  １Ｌ／ｈＬ（１０ｇ／１００Ｌ）の代わりに、Ｆａｌｇｒｏ錠剤を５個／１００Ｌ（５ｇ／１００Ｌ）用いた。間引き結果が達成されたが、間引きの程度はＧＡ７の場合より低かった。
【００６２】
実施例４および５、ならびに比較実験Ｂ
２つの試験：時期試験および用量割合試験をスペインで行った。用量割合試験はＵＦＯ−４ネクタリンで行った。ＧＡ７（ＧＡ４の存在に対して＞９５％純粋）を使用して、ＵＦＯ−４モモに対して満開後２ヶ月で０．２５〜２Ｌ／ｈＬの間の量散布した。
【００６３】
結果は次の通り：
【００６４】
【表２】
2017503807.tif 000003
【００６５】
これらの実験は、匹敵する量のＧＡ７とＧＡ３（Ｆａｌｇｒｏ錠剤）で、ＧＡ７の方が有効であったことを示している。
【００６６】
さらなる試験をＭｅｒｒｙｌ  Ｏ  Ｈｅｎｒｙモモに対して実施した。ＧＡ７の散布を経時的に変化させ、１つのプログラムでは２週離して２つの用量でＧＡ７を散布した。
【００６７】
【表３】
2017503807.tif 000004
【００６８】
これらの実験から、ＧＡ７が様々な時点で散布したときも核果の間引きに有効であることが明らかである。
【００６９】
実施例６〜８：
実施例６：２０１１年モモの戻り開花
新芽を半分ずつに分け、樹木の幹に近い方の半分の基部と、新芽の先端に近い方の半分の末端で花の数を数えた。両方の評価日の花の数（基部）の差を観察した。７５％／２５％の比率のＧＡ７／４は両方の割合で試験を通じて一貫してより低い花数を示し、レート応答が認められた。
【００７０】
比較としてＧＡ３もＵＴＣと比較して一貫してより低い花数を示し、レート応答は最初の評価日に観察されたが、次の日には見られなかった。試験を通して、７５／２５％の比のＧＡ７／４は１００ｐｐｍで全戻り開花を減少させるのに最大の効果を有することが示された。
【００７１】
実施例７：２０１２年モモの戻り開花
再び、新芽を半分ずつに分け、基部と末端で花の数を数えた。２０１１年の評価とは異なり、果実の枝の基部半分または末端半分での花の数に関して有意な処理効果は観察されなかった。しかし、花の数を結実性の枝全体（基部＋末端）で総合すると、５０ｐｐｍで散布したＦＡＬ  ９００（ＧＡ７）処理から２０１２年の戻り開花に有意な減少が観察された。
【００７２】
実施例８：２０１１年モモの試験
この研究は、２０１１年４月２５日、５月１０日および５月２６日（満開後４５、６０および７５日）に散布した３つの処理で構成された：
１．未処理検査
２．２．５ｇ／１００Ｌ、すなわち１００Ｌに付き０．２５Ｌの製剤である２５ｐｐｍ  ａｉ（Ｃ）の割合のＦＡＬ  ９００
３．５０ｐｐｍ  ａｉ（Ｃ）の割合のＦＡＬ  ９００
４．１０ｐｐｍ  ａｉ（２週間の間隔での３つの処理）の割合のＦＡＬ  ９００
２０１１年〜２０１２年の観察：評価は、７月の終わり８月早期に硬度、可溶性固形物、および滴定酸度、ならびにプロット当たり２０個の果実の重量を評価することからなっていた。新芽測定値はプロット当たり１０の新芽から２０１１年２月の終わりに記録した。枝当たりの花の数を、プロット当たり１０の枝の２つに分けた半分ずつ（基部と末端）について２０１２年２月の終わりに数えた。
【００７３】
枝（Ａ）の低い方または基部半分の花の数は５０ｐｐｍ  ａｉ（Ｃ）のＧＡ７で有意に最も低かった。枝（Ｂ）の上部または末端半分の花数ならびに枝の末端半分と基部半分の両方または端部の平均は全ての処理で同様であった。全ての処理で未処理の対照と比較して全体的に花の数が少なかった。最も大きいモモは、５０ｐｐｍ  ａｉでのＧＡ７で、２０１１年にも最も大きいモモを生産した樹木で得られた。モモの品質はＧＡ７による処理で影響されなかった。
【００７４】
以上述べた幾つかの実施形態を参照して本発明を説明してきた。これらの実施形態には、本発明の範囲から逸脱することなく、当業者には周知の様々な修正および代わりの形態が可能であることが理解されよう。従って、特定の実施形態について記載してきたが、これらは単なる例であり、添付の特許請求の範囲に記載の本発明の範囲を限定するものではない。
【国際調査報告】
2017503807.tif 000005
2017503807.tif 000006
2017503807.tif 000007
2017503807.tif 000008